(57)【要約】【課題】上下方向に回動（首振り）可能なコンパクトな送風機であって、送風部の上下方向の回動時に電気ケーブルの噛み込みを起こさない送風機を提供する。【解決手段】ファンを駆動するファンモータ１７を有する送風部１０と、電源部を有する台座部２０とを備え、送風部１０が上下方向に回動可能な送風機１００であって、ファンモータ１７に取り込み部Ａで接続され、かつ、台座部２０の取り出し部Ｂを通り電源部に接続される電気ケーブル１７ａを有し、電気ケーブル１７ａの取り込み部Ａに対し、取り出し部Ｂが左右方向に位置ずれして配設され、取り込み部Ａの位置と取り出し部Ｂの位置とを結ぶ方向は、垂直方向に対して傾斜した位置関係にある。【選択図】図４
2018048651.tif 000002
【特許請求の範囲】
【請求項１】
ファンを駆動するファンモータを有する送風部と、電源部を有する台座部とを、備え、前記送風部が上下方向に回動可能な送風機であって、
前記ファンモータに取り込み部（Ａ）で接続され、かつ、前記台座部の取り出し部（Ｂ）を通り前記電源部に接続される電気ケーブルを有し、
前記電気ケーブルの前記取り込み部（Ａ）に対し、前記取り出し部（Ｂ）が左右方向に位置ずれして配設され、前記取り込み部（Ａ）の位置と前記取り出し部（Ｂ）の位置とを結ぶ方向は、垂直方向に対して傾斜した位置関係にあることを特徴とする送風機。
【請求項２】
垂直方向に対する取り込み部（Ａ）と取り出し部（Ｂ）との傾斜角度が５°〜３５°に設定されている請求項１に記載の送風機。
【発明の詳細な説明】
【技術分野】
【０００１】
本発明は、部屋の空気を攪拌させる送風機、特に上下に送風方向を変更できる機能を備える送風機に関する。
【背景技術】
【０００２】
送風機は直線性の強い風によって室内の温度の異なる空気を攪拌させることにより室内温度を均一にさせるものであるが、上下や左右に送風機の送風方向を変更させることで、さらに効率よく攪拌させている。上下に送風方向を変える方法として、プロペラファンなどの回転軸方向を仰角させる仰角制御（上下首振り機構）が一般的で、ファンを備える送風部両側の中央部を保持して回動させる２点支持方式が用いられている。
【０００３】
送風部にはファンを駆動するためのファンモータが用いられているが、そのファンモータには駆動電力を供給する電気ケーブルが配線されており、送風部の仰角動作などに伴う電気ケーブルの断線や亀裂に対する取り回しが重要で、従来から種々の検討がなされている。例えば、特許文献１に記載されている扇風機では、ファンモータ引出線の断線および他の構造物への引っ掛かりを防止するために、内輪部と外輪部とからなる軸手段において、内輪部の中空内で給電コードを渦巻き状に構成することが開示されているが、給電コードが長くなることや内輪部の中空の両端で給電コードを係止するクリップが必要となる。また、特許文献２に記載されている扇風機では、上下伸縮時の内部配線用コードの亀裂や断線を防止するために、屈曲性シートおよびスプリングを用いてコードを押し下げつつコードが内パイプと外タイプの隙間に入り込ませない技術が開示されているが、部品点数が多くなってしまう。
【０００４】
送風部両側の中央部分を保持して仰角を制御する構造では、製品全体の幅方向サイズが大きくなり結果として接地面積も大きくなってしまう。そこで、送風部そのものの空間範囲内で仰角動作を行うことができれば、製品がコンパクトになり接地面積も抑えることができる。
【先行技術文献】
【特許文献】
【０００５】
【特許文献１】特開平６−３３０８８９号
【特許文献２】実開平７−８５９２号
【発明の概要】
【発明が解決しようとする課題】
【０００６】
本発明は、以上のような課題を解決するため鋭意検討してなされたものであり、上下方向に回動（上下首振り）可能なコンパクトな送風機であって、特別な部材でカバーすることなく、電気ケーブルの他部材への挟まりや噛み込みを起こさない送風機を提供するものである。
【課題を解決するための手段】
【０００７】
上記課題を解決するため、第一に、ファンを駆動するファンモータを有する送風部と、電源部を有する台座部とを、備え、前記送風部が上下方向に回動可能な送風機であって、前記ファンモータに取り込み部で接続され、かつ、前記台座部の取り出し部を通り前記電源部に接続される電気ケーブルを有し、前記電気ケーブルの前記取り込み部に対し、前記取り出し部が左右方向に位置ずれして配設され、前記取り込み部の位置と前記取り出し部の位置とを結ぶ方向は、垂直方向に対して傾斜した位置関係にあることを特徴とする。
【０００８】
第二に、垂直方向に対する取り込み部（Ａ）と取り出し部（Ｂ）との傾斜角度が５°〜３５°に設定されていることを特徴とする。
【発明の効果】
【０００９】
本発明によれば、送風機内の電気ケーブルが傾斜して配線されることになるため、特別な保護部材を用いることなく、電気ケーブルの挟まりや噛み込みが防止される。
【図面の簡単な説明】
【００１０】
【図１】本発明の実施形態に係る送風機の全体斜視図
【図２】本発明の実施形態に係る送風機の構成部品分解図
【図３】本発明の実施形態に係る後カバーの背面図
【図４】本発明の実施形態に係る送風機の背面図
【図５】本発明の実施形態に係る台座カバーの斜視図
【図６】本発明の実施形態に係る送風機より後カバーを取り除いた背面図
【図７】本発明の第１の使用状態に係る右側面図
【図８】本発明の第２の使用状態に係る右側面図
【発明を実施するための形態】
【００１１】
以下に本発明の好適な実施の形態について、図面を参照しながら説明する。なお本実施形態は一例であり、これに限定されるものではない。
【００１２】
（全体構成）
本実施形態に係わる送風機１００の全体構成について、図1および図２を用いて説明する。
【００１３】
送風機１００は、図1に示す通り概ね送風部１０と台座部２０とから構成される。具体的には図２の分解図のように、送風部１０には、前カバー１１、前グリル１２、後カバー１３、ハンドル１４、プロペラファン１５、モータホルダ１６、ファンモータ１７、ファンモータ用電気ケーブル１７ａを有し、台座部２０には台座下部２１、台座カバー２２、操作部２３、保持部材２４ｂ、２４ｃ、仰角設定部２５を有している。またファンモータ用電気ケーブル１７ａはファンモータ１７とは取り込み部Ａで接続され、台座カバー２２の取り出し部Ｂを通り図示しない電源部へと接続されている。従い、ファンモータ用電気ケーブル１７ａは送風機１００の外部には露出しない。
【００１４】
また、台座部２０から垂直方向に延びるくの字状の２本の保持部材２４ｂ、２４ｃによりモータホルダ１６が保持され、さらに送風方向を変更するための仰角設定部２５が保持部材２４ｂ、２４ｃの両側に取り付けられている。モータホルダ１６内にファンモータ１７を挿嵌したのちモータ軸１７ｂにプロペラファン１５が挿入され、図示しないビスにより固定される。その後、ファンモータ１７の後側から後カバー１３が覆いかぶせられ、同様にビス止め固定される。なお、本例では安定性の面から保持部材を２個用いているが、保持能力の高い部材であれば１個であっても構わない。
【００１５】
その後は、前グリル１２の爪部１２ａを後カバー１３に嵌合させたのち、円錐台形状の前カバー１１で覆うことで送風機１００が完成する。なお、前グリル１２は直線性の強い風を送り出すためにほぼ円筒状の形状をなし、送風先端は渦巻き状のリブ１２ｂで形成され、直線性の強い送風を維持している。
【００１６】
図３は、後カバー１３の背面図を示したもので、ＡＢＳ樹脂の素材から成型されており、空気を取り込むために厚さ２ｍｍの放射状リブを設けている。なお隣り合うリブ間隔は３．５ｍｍから１０ｍｍまでの間隔を有する。さらに送風部１０全体を上下に回動（首振り）できるようにするため、電気ケーブル１７ａおよび保持部材２４ｂ、２４ｃが貫通できる縦長のリブ貫通孔１３ａ、１３ｂ、１３ｃが垂直方向に形成されている。なお、これらリブ貫通孔の隙間は、９ｍｍである。
【００１７】
ここで、電気ケーブル１７ａは外径６ｍｍのＰＶＣケーブルで覆われ、孔の断面が７ｍｍ×１１ｍｍの長方形状である電気ケーブル取り出し部Ｂの孔を通じて電源部につながれており、また保持部材２４ｂ、２４ｃは厚さ７ｍｍの平板状樹脂である。従い、電気ケーブル１７ａと保持部材２４ｂ、２４ｃはリブ貫通孔１３ａ、１３ｂ、１３ｃに接触しない構造である。
【００１８】
図４は送風機１００の背面図であり、後カバー１３のリブ貫通孔１３ｂ、１３ｃに保持部材２４ｂ、２４ｃが、また一部点線で示した後カバー１３のリブ貫通孔１３ａに電気ケーブル１７ａが貫通している状況を示したものである。また図５は、台座カバー２２のみの斜視図を示したもので、中央上部は凹面状になっており、電気ケーブル取り出し部（取り出し用貫通孔）Ｂ、保持部材２４ｂ用貫通孔Ｍ、保持部材２４ｃ用貫通孔Ｎを備えている。
【００１９】
図６は図４より後カバー１３を取り去った状態を示したもので、見やすくするために前グリル１２前面の渦巻きリブ１２ｂは省略している。これからわかるように電気ケーブル１７aの取り込み部Ａと台座カバー２２からの取り出し部Ｂとは垂直方向（図６のＸ−Ｙ方向）に対して傾斜した位置関係にある。すなわち、取り出し部ＢはＸ−Ｙ方向に対して紙面右側に位置している。
【００２０】
取り込み部Ａと取り出し部Ｂとが垂直方向に並んだ場合には、電気ケーブル１７aがリブ貫通孔１３ａに挟まったり、噛み込んだりする問題が発生する。この原因は送風部１０が仰角方向に動いたときに電気ケーブル１７ａが緩んだ状態になり、折れ曲がるときに垂直方向に対して斜めになったりすることから、後カバー１３のリブに接触しやすくなり、その結果、寸法的に余裕度がない隙間に電気ケーブル１７ａが噛み込まれてしまうからである。後カバー１３のこの部分のリブを取り除けばこの問題はそもそも起こらないが、これらリブは樹脂強度を確保するため、また電気ケーブル１７ａの露出を防止して安全性を確保するために必要である。
【００２１】
これに対し、本発明の送風機では、上述したように取り込み部Ａと取り出し部Ｂとが垂直方向に対して傾斜した位置関係にあることから、電気ケーブル１７ａがリブ貫通孔１３ａに挟まったり噛み込んだりすることを防止できる。また垂直方向に対する取り込み部Ａと取り出し部Ｂとの傾斜角度としては、５〜３５°が好ましいが、その理由として、５°未満であればリブ貫通孔１３ａに噛み込んでしまうおそれが高く、３５°を超えるとケーブルが長くなり取り回しにくいからである。
【００２２】
（上下首振り）
本発明では送風部１０の送風方向は、送風部１０の上下首振りのためにハンドル１４を手でもって移動させることにより、水平方向から仰角７０°まで変更可能である。仰角設定部２５は図２に示すように、内面側に凹凸を設けた外筒に対し外周に凸部を設けた内筒が嵌合する構造を用いて不連続な角度調整を行うものである。
【００２３】
図７は送風方向が水平方向の場合の右側面図を示したもので、台座カバー２２の中央上部は凹面状のため、後カバー１３の下部は点線で示している。この場合には電気ケーブル１７ａはほぼ伸びきった状態にあるため、リブ貫通孔１３ａに噛み込まれることはなく、隙間が８ｍｍである隣接するリブ間にも噛み込まれることはない。
【００２４】
図８は送風方向が仰角５０°の場合の右側面図を示したもので、電気ケーブル１７ａは台座カバー２２からの取り出し部Ｂ近傍で、左方向に折れ曲がる状態を示している。送風機１００の背面から見ると取り込み部Ａと取り出し部Ｂとが垂直方向に対して傾斜した位置関係にあるため、たとえ電気ケーブル１７ａが折れ曲がる際に垂直方向から少し傾いたりしても、隣のリブに故意に接触させることになり、電気ケーブル１７ａのリブ貫通孔１３ａへの挟まりや噛み込みを防止することができる。
【００２５】
ここで、後カバー１３は半球状であるため、後カバー１３と台座カバー２２との距離を最小に保ち、送風部１０の回転半径を最小にすることができる。その結果、送風機１００全体の動作空間を小さく抑えることができる。
【００２６】
（左右首振り）
台座部２０は台座下部２１と台座カバー２２との間で回転できるものである。具体的には、台座下部２１内にある図示しないモータユニットを駆動し枢着されたアームを動かすことで、本体中心軸を中心とした回動運動を行わせている。
【００２７】
また、スムーズな回動運動を実施できるように、台座下部２１と台座カバー２２の間に図示しないコロなどを挟み込むことですべりを良くしている。
【００２８】
送風部１０の動作空間範囲内で送風部１０を支持する構造に加えて、左右首振り機能を備えるため、実使用時の動作空間を小さく抑えることができる。
【００２９】
以上のように、実施形態によれば上下方向に回動（首振り）可能なコンパクトな送風機であって、送風部の上下方向の回動時に電気ケーブルの噛み込みを起こさない送風機を提供できる。また本発明は、上述した実施形態に限定されるものではなく、本発明の要旨を変えない範囲において、種々の変更、改変等が可能である。例えば、操作部２３を電子式にすることも、上下首振りに関して別途駆動モータを用いて自動首振りにすることも可能
である。
【符号の説明】
【００３０】
１００    送風機
１０    送風部
１１    前カバー
１２    前グリル
１２ａ    爪部
１２ｂ    渦巻きリブ
１３    後カバー
１３ａ    電気ケーブル用リブ貫通孔
１３ｂ、１３ｃ    保持部材用リブ貫通孔
１４    ハンドル
１５    プロペラファン
１６    モータホルダ
１７    ファンモータ
１７ａ    電気ケーブル
１７ｂ    モータ軸
２０    台座部
２１    台座下部
２２    台座カバー
２３    操作部
２４ｂ、２４ｃ    保持部材
２５    仰角設定部
Ａ    電気ケーブル取り込み部
Ｂ    電気ケーブル取り出し部
Ｍ    保持部材２４ｂ用貫通孔
Ｎ    保持部材２４ｃ用貫通孔
【図１】
2018048651.tif 000003
【図２】
2018048651.tif 000004
【図３】
2018048651.tif 000005
【図４】
2018048651.tif 000006
【図５】
2018048651.tif 000007
【図６】
2018048651.tif 000008
【図７】
2018048651.tif 000009
【図８】
2018048651.tif 000010